(57)【要約】【課題】茸収穫後の茸栽培用子実体生育ガイド体を再利用する際の乾燥処理時に上下に隣接する茸栽培用子実体生育ガイド体どうしの密着を防止し、乾燥処理時間を大幅に短縮する。【解決手段】シート体１２により逆円錐台状の筒体に形成され、茸栽培用瓶の瓶口肩部に載置して瓶口上方を囲むことで子実体の生育形状を規制する茸栽培用子実体生育ガイド体１０において、上方の茸栽培用子実体生育ガイド体１０の下部が下方の茸栽培用子実体生育ガイド体１０の筒口内に進入するようにして積み重ねられた際、上下の茸栽培用子実体生育ガイド体１０間に隙間３０が生じるように、茸栽培用子実体生育ガイド体１０の外周に、下方の茸栽培用子実体生育ガイド体１０の筒口上縁１０Ａに係止される舌片２０が設けられていることを特徴とする。【選択図】図４
2012110302.tif 000002
【特許請求の範囲】
【請求項１】
シート体により逆円錐台状の筒体に形成され、茸栽培用瓶の瓶口肩部に載置して瓶口上方を囲むことで子実体の生育形状を規制する茸栽培用子実体生育ガイド体において、
上方の茸栽培用子実体生育ガイド体の下部が下方の茸栽培用子実体生育ガイド体の筒口内に進入するようにして積み重ねられた際、上下の茸栽培用子実体生育ガイド体間に隙間が生じるように、茸栽培用子実体生育ガイド体の外周に、下方の茸栽培用子実体生育ガイド体の筒口上縁に係止される舌片が設けられていることを特徴とする茸栽培用子実体生育ガイド体。
【請求項２】
前記シート体は、上端縁と下端縁が円弧状をなす帯状に形成されていて、前記シート体の側端縁部が重ねられた重合部において固着されることによって逆円錐台状に形成され、
前記舌片は、前記シート体の一方の側端縁部から延出されて形成されていることを特徴とする請求項１記載の茸栽培用子実体生育ガイド体。
【請求項３】
前記舌片は、前記筒体の外周の上端縁位置に配設されていることを特徴とする請求項１または２記載の茸栽培用子実体生育ガイド体。
【請求項４】
前記舌片は、前記筒体の外周の複数箇所に配設されていることを特徴とする請求項１〜３のうちのいずれか一項に記載の茸栽培用子実体生育ガイド体。
【請求項５】
前記舌片は、前記筒体の外周の上端位置と下端位置のそれぞれに配設されていることを特徴とする請求項４記載の茸栽培用子実体生育ガイド体。
【請求項６】
前記舌片の下縁には、前記下方の茸栽培用子実体生育ガイド体の筒口上縁に係止可能な係止部が形成されていることを特徴とする請求項１〜５のうちのいずれか一項に記載の茸栽培用子実体生育ガイド体。
【請求項７】
逆円錐台状の筒体の外周に舌片が設けられた茸栽培用子実体生育ガイド体の乾燥方法であって、
上方の茸栽培用子実体生育ガイド体の下部を下方の茸栽培用子実体生育ガイド体の筒口内に進入させるようにして積み重ねる際に、前記上方の茸栽培用子実体生育ガイド体の舌片を、下方の茸栽培用子実体生育ガイド体の筒口上縁に係止し、上下の茸栽培用子実体生育ガイド体間に隙間を形成した状態で乾燥させることを特徴とする茸栽培用子実体生育ガイド体の乾燥方法。
【発明の詳細な説明】
【技術分野】
【０００１】
本発明は茸の人工栽培において、茸の子実体の生育期に栽培容器に取り付けて成育ガイド体として用いる茸栽培用子実体生育ガイド体と、茸栽培用子実体生育ガイド体の乾燥方法に関する。
【背景技術】
【０００２】
エノキ茸等の茸は、子実体の生育に伴って茸の下部から上部に向けて緩やかに拡径するいわゆる逆円錐台状となるのが好ましいとされている。このため、子実体の生育期においては、子実体が好ましい形状に生育するように、茸栽培用瓶の瓶口肩部にシート体を巻きつけて、逆円錐台状に形成された茸栽培用子実体生育ガイド体が装着されている。
近年では、繰り返しの利用が可能であってしかも安価な茸栽培用子実体生育ガイド体として、合成樹脂製のシート材により形成された茸栽培用子実体生育ガイド体が好適に用いられている。このような茸栽培用子実体生育ガイド体としては、例えば特許文献１や特許文献２において提案されているようなものが知られている。
【先行技術文献】
【特許文献】
【０００３】
【特許文献１】公開実用昭和６２−１４２２３７号公報
【特許文献２】特開２００９−１９５２２５号公報
【発明の概要】
【発明が解決しようとする課題】
【０００４】
合成樹脂製のシート材により形成された茸栽培用子実体生育ガイド体は、繰り返し使用することが可能である。茸栽培に使用した茸栽培用子実体生育ガイド体には水分が付着していることが多いため、茸栽培用子実体生育ガイド体に付着した水分を乾燥処理する必要がある。具体的には、茸収穫後の茸栽培用子実体生育ガイド体を高さ方向に積み重ねた状態にして日光を照射する乾燥処理や、乾燥機からの乾燥温風を吹き付ける乾燥処理等が施されている。
茸栽培用子実体生育ガイド体を高さ方向に積み重ねると、茸栽培用子実体生育ガイド体に付着している水分により上下に隣接する茸栽培用子実体生育ガイド体どうしが密着してしまい、乾燥処理に時間がかかってしまうという課題がある。
【０００５】
また、茸の子実体が生育する際には、子実体から分泌液が分泌され、茸栽培用子実体生育ガイド体に茸の分泌液が付着していることが多い。上下に隣接する茸栽培用子実体生育ガイド体どうしが密着したままの状態で乾燥処理が施され、茸栽培用子実体生育ガイド体に付着していた分泌液が乾燥すると、茸栽培用子実体生育ガイド体どうしが密着したまま離れなくなってしまう。このような場合には乾燥処理を施したにもかかわらず、茸栽培用子実体生育ガイド体を水洗いする等して、密着した茸栽培用子実体生育ガイド体どうしを分離させるか、密着した茸栽培用子実体生育ガイド体は廃棄処分されてしまうという課題もある。
【０００６】
これらのような茸栽培用子実体生育ガイド体の再利用時の乾燥処理に関する課題に対しては、使用後の茸栽培用子実体生育ガイド体を筒状の状態で乾燥処理するのではなく、一旦シート体の状態に戻してからシート体を吊り下げて乾燥処理をすることが可能な茸栽培用子実体生育ガイド体も提供されている。しかしながら、栽培工程に応じてシート体と筒体との間で形態の切り替えが可能な茸栽培用子実体生育ガイド体の場合、茸栽培用瓶の瓶口肩部に装着する都度、茸栽培用瓶を取り出して、茸栽培用子実体生育ガイド体を瓶口肩部に巻き付けてシート体の側端部どうしを係止手段により係止処理しなければならない。このように茸栽培用子実体生育ガイド体の乾燥処理や再利用性に重点をおくと、茸栽培用瓶の瓶口肩部への茸栽培用子実体生育ガイド体の装着作業に手間がかかり、作業能率が低下すると共に、作業者に対する肉体的負担も過大なものとなってしまう。
このように、茸栽培用子実体生育ガイド体の乾燥処理および再利用性に関する課題と、茸栽培用瓶の瓶口肩部への装着作業性に関する課題はトレードオフの関係にある。
【０００７】
そこで本願発明は、茸を収穫した後の茸栽培用子実体生育ガイド体を再利用するにあたり、乾燥処理時に上下に隣接する茸栽培用子実体生育ガイド体どうしの密着を防止することで、乾燥処理時間を大幅に短縮すること、および、乾燥処理後における茸栽培用子実体生育ガイド体の廃棄処分のリスク低減が可能であると共に、茸栽培用瓶の瓶口肩部への装着作業性が良好な茸栽培用子実体生育ガイド体の提供と効率的な茸栽培用子実体生育ガイド体の乾燥方法の提供を目的としている。
【課題を解決するための手段】
【０００８】
本発明は、シート体により逆円錐台状の筒体に形成され、茸栽培用瓶の瓶口肩部に載置して瓶口上方を囲むことで子実体の生育形状を規制する茸栽培用子実体生育ガイド体において、上方の茸栽培用子実体生育ガイド体の下部が下方の茸栽培用子実体生育ガイド体の筒口内に進入するようにして積み重ねられた際、上下の茸栽培用子実体生育ガイド体間に隙間が生じるように、茸栽培用子実体生育ガイド体の外周に、下方の茸栽培用子実体生育ガイド体の筒口上縁に係止される舌片が設けられていることを特徴とする。
【０００９】
また、前記シート体は、上端縁と下端縁が円弧状をなす帯状に形成されていて、前記シート体の側端縁部が重ねられた重合部において固着されることによって逆円錐台状に形成され、前記舌片は、前記シート体の一方の側端縁部から延出されて形成されていることを特徴とする。これにより、シート体を打ち抜き加工する際にあらかじめ舌片部分を形成しておくことができ、低コストで茸栽培用子実体生育ガイド体の製造が可能になる。
また、前記舌片は、前記筒体の外周の上端縁位置に配設されていることを特徴とする。これにより、茸栽培用子実体生育ガイド体を積み重ねた際における高さの増加を最小限に抑えることができる。
【００１０】
また、前記舌片は、前記筒体の外周の複数箇所に配設されていることを特徴とする。
また、前記舌片は、前記筒体の外周の上端位置と下端位置のそれぞれに配設されていると更に好都合である。これらにより、上下に隣接する茸栽培用子実体生育ガイド体の隙間を、各茸栽培用子実体生育ガイド体における高さ方向全体に形成することができる。
【００１１】
また、前記舌片の下縁には、前記下方の茸栽培用子実体生育ガイド体の筒口上縁に係止可能な係止部が形成されていることを特徴とする。これにより、下方の茸栽培用子実体生育ガイド体に対して、上方の茸栽培用子実体生育ガイド体の係止状態を一定状態に維持することができる。
【００１２】
また、逆円錐台状の筒体の外周に舌片が設けられた茸栽培用子実体生育ガイド体の乾燥方法であって、上方の茸栽培用子実体生育ガイド体の下部を下方の茸栽培用子実体生育ガイド体の筒口内に進入させるようにして積み重ねる際に、前記上方の茸栽培用子実体生育ガイド体の舌片を、下方の茸栽培用子実体生育ガイド体の筒口上縁に係止し、上下の茸栽培用子実体生育ガイド体間に隙間を形成した状態で乾燥させることを特徴とする茸栽培用子実体生育ガイド体の乾燥方法の発明もある。
【発明の効果】
【００１３】
本発明にかかる茸栽培用子実体生育ガイド体と、茸栽培用子実体生育ガイド体の乾燥方法を用いることで、茸栽培用子実体生育ガイド体の乾燥処理および再利用性に関する課題と、栽培容器への装着作業性に関する課題の両方を同時に解決することができる。
【図面の簡単な説明】
【００１４】
【図１】第１実施形態における茸栽培用子実体生育ガイド体のシート体を示す平面図である。
【図２】第１実施形態における茸栽培用子実体生育ガイド体を示す斜視図である。
【図３】図２の茸栽培用子実体生育ガイド体の運搬時における荷姿を示す斜視図である。
【図４】図２の茸栽培用子実体生育ガイド体を積み重ねた状態を示す斜視図である。
【図５】第２実施形態における茸栽培用子実体生育ガイド体を示す斜視図である。
【図６】第３実施形態における茸栽培用子実体生育ガイド体を示す斜視図である。
【図７】第４実施形態における茸栽培用子実体生育ガイド体の斜視図である。
【発明を実施するための形態】
【００１５】
以下、本発明にかかる茸栽培用子実体生育ガイド体の実施形態について、図面に基づいて説明する。
【００１６】
（第１実施形態）
図１は、第１実施形態における茸栽培用子実体生育ガイド体のシート体を示す平面図である。図２は、第１実施形態における茸栽培用子実体生育ガイド体を示す斜視図である。図３は、図２の茸栽培用子実体生育ガイド体の運搬時における荷姿を示す斜視図である。図４は、図２の茸栽培用子実体生育ガイド体を積み重ねた状態を示す斜視図である。
茸栽培用子実体生育ガイド体１０は図１に示すように、扇形の中心部の一部が切り取られ、上端縁と下端縁が円弧状をなす湾曲帯状のシート体１２に形成される。シート体１２には、シート体１２の厚さ方向に貫通する貫通孔１４が複数形成されている。シート体１２の材料としては、ポリプロピレンフィルム等の合成樹脂フィルムが好適に用いられる。
【００１７】
シート体１２の一方の側端縁１８Ａには、側端縁１８Ａの他の部分よりもシート体１２の長手方向に延出する舌片２０が配設されている。図１に示すように、舌片２０は、湾曲帯状のシート体１２の一方の側端縁１８Ａの外周側端部（逆円錐台状の筒体の外周面上端位置となる部位）に設けられている。舌片２０はシート体１２に一体形成されているので、シート体１２と同程度の弾性を備えている。
舌片２０の大きさは特に限定されるものではないが、作業者が手で容易につまむことができる程度の大きさに形成されていればよい。本実施形態における舌片２０は、縦寸法が約２０ｍｍ、横寸法が約１５ｍｍの大きさとした。このように、舌片２０はわずかな大きさでよいため、シート体１２に舌片２０を配設する際における材料のロスはきわめてわずかで済む。このことから、従来技術における茸栽培用子実体生育ガイド体１０のシート体１２の製造コストに比較して、本実施形態にかかる茸栽培用子実体生育ガイド体１０のシート体１２の製造における残材の処理コストや使用材料の増加によるコストアップは無視できる程度である。
【００１８】
図１に示すようなシート体１２を形成した後、シート体１２を長手方向に周回させ、舌片２０が配設されている側端縁１８Ａを他の側端縁１８Ｂの外側となるように側端縁１８Ａ，１８Ｂどうしを所要幅寸法で重複させた重合部に形成して、この重合部を加熱圧着や超音波溶着等の公知の方法により固着させる。これにより図２に示すような逆円錐台状の筒体に形成された茸栽培用子実体生育ガイド体１０を得ることができる。このようにして形成された茸栽培用子実体生育ガイド体１０は、筒体の重合部において舌片２０が外周面の接線方向に延伸した状態になっている。
【００１９】
下方のキノコ栽培用子実体生育ガイド体１０の筒口に、上方のキノコ栽培用子実体生育ガイド体１０の下部を進入させた状態で積み重ねて集合体１１を形成すれば、上方の茸栽培用子実体生育ガイド体１０に形成された舌片２０を下方の茸栽培用子実体生育ガイド体１０の内周面によって押さえつけることができる。具体的には図３に示すように、従来における筒状体の茸栽培用子実体生育ガイド体１０と同様に、高さ方向に積み重ねて集合体１１を形成することができる。これにより集合体１１において上下に隣接する茸栽培用子実体生育ガイド体１０は、高さ方向における重複部分が多い状態で密着していることになり、工場からの出荷時や、運搬時においては、従来技術における茸栽培用子実体生育ガイド体１０と同様に、集合体１１の運搬容積を最小限に抑えることができる。
【００２０】
茸栽培作業者は、図３に示す状態の集合体１１から茸栽培用子実体生育ガイド体１０を図２に示すように個別に分離し、茸栽培における抑制工程の後であり、子実体の生育工程の前に、図示しない茸栽培用瓶の瓶口肩部に茸栽培用子実体生育ガイド体１０の下方側筒口を差し込むようにして装着することができる。これにより生育工程に入る茸栽培用瓶は瓶口上方の空間が所定空間に囲まれることになるから、生育工程における子実体の生育形状を所望の形状にすることができるのである。
【００２１】
本実施形態にかかる茸栽培用子実体生育ガイド体１０はあらかじめ逆円錐台状の筒体に形成されているので、作業者は水分の多い培地が充てんされた茸栽培用瓶を図示しない収納トレイから取り出して、茸栽培用子実体生育ガイド体１０を巻き付けて、側端縁１８Ａ，１８Ｂを係止した後に再度収納トレイに戻す作業が不要になる。このため、茸栽培用子実体生育ガイド体１０を茸栽培用瓶の瓶口肩部に装着するための時間を大幅に短縮することができる。また、数百グラムの重量を有する培地入り茸栽培用瓶を持ち上げる必要がないため、作業者への肉体的負担を大幅に低減することもできる。
【００２２】
子実体が十分に生育した後に、茸栽培用瓶から子実体（茸）と茸栽培用子実体生育ガイド体１０を共に取り外す。子実体は茸栽培用子実体生育ガイド体１０により、理想的形状とされる逆円錐台状に生育している。子実体と茸栽培用子実体生育ガイド体１０を上下反対にすれば、茸栽培用子実体生育ガイド体１０から子実体が滑り落ちて茸栽培用子実体生育ガイド体１０と子実体とを分離させることは容易に行なうことができる。取り出された子実体は出荷される。
子実体から分離させた茸栽培用子実体生育ガイド体１０は、生育工程において付着した水分や茸の分泌液を乾燥処理させた後に再利用される。
【００２３】
子実体を収穫した後の茸栽培用子実体生育ガイド体１０は、外周面に配設されている舌片２０を筒体の径外方向に曲折させた状態にして高さ方向に積み重ねた集合体１１の状態で乾燥処理される。図４には、茸栽培用子実体生育ガイド体１０の乾燥処理時における集合体１１の積み重ね状態が示されている。茸栽培用子実体生育ガイド体１０の舌片２０を径外方向に曲折させた状態で、茸栽培用子実体生育ガイド体１０を高さ方向に積み重ねて集合体１１を形成すると、上方の茸栽培用子実体生育ガイド体１０の舌片２０の下端部が下方の茸栽培用子実体生育ガイド体１０の筒口上縁１０Ａに係止する。これにより上下に隣接する茸栽培用子実体生育ガイド体１０の筒体部分の積み重なり深さが規制されることになる。茸栽培用子実体生育ガイド体１０は逆円錐台状をなす筒体であるから、上下に隣接する茸栽培用子実体生育ガイド体１０どうしの積み重なり深さが規制されれば、集合体１１において下方の茸栽培用子実体生育ガイド体１０の内周面と、上方の茸栽培用子実体成育ガイド体１０の外周面との間に隙間３０が形成されることになる。
【００２４】
このような集合体１１において上下に隣接する茸栽培用子実体生育ガイド体１０，１０間に形成された隙間３０が貫通孔１４と共に通気可能な部分となるため、従来技術（図３に示した状態）における乾燥処理に要する時間に対して大幅に短時間で茸栽培用子実体生育ガイド体１０の乾燥処理を行なうことができる。
また、乾燥処理中は、集合体１１において上下に隣接する茸栽培用子実体生育ガイド体１０間には互いが常に離間する隙間３０があるので、茸の分泌液が付着している場合であっても、上下に隣接する茸栽培用子実体生育ガイド体１０どうしが完全に密着（接着）してしまうことがなく、廃棄対象となる茸栽培用子実体生育ガイド体１０の量を大幅に削減することができる。
【００２５】
乾燥処理させた後の茸栽培用子実体生育ガイド体１０を再利用する際には、舌片２０を筒体の外周面に沿わせた方向（工場出荷時の状態）に戻しても良いし、径外方向に曲折させたままの状態であっても良い。舌片２０はシート体１２と同じ材料により形成されているので柔軟性があるため、収納トレイに茸栽培用子実体生育ガイド体１０を装着した茸栽培用瓶を収納した際に、隣り合う茸栽培用瓶に装着された茸栽培用子実体成育ガイド体１０の舌片２０どうしが接触した場合であっても、舌片２０が適宜変形し、収納トレイ内における茸栽培用瓶の配列に不具合が生じることはない。
また、茸栽培用子実体生育ガイド体１０を運搬する必要がある場合には、舌片２０を茸栽培用子実体生育ガイド体１０の筒体の外周面に沿わせるように曲折してから茸栽培用子実体生育ガイド体１０の高さ方向に積み重ねて集合体１１を形成すればよい。これにより図３に示すように茸栽培用子実体生育ガイド体１０の集合体１１を工場出荷時の荷姿と同じ状態にすることができるから、運搬効率が低下してしまうことはない。
【００２６】
（第２実施形態)
図５は、第２実施形態における茸栽培用子実体生育ガイド体を示す斜視図である。
本実施形態においては、第１実施形態にかかる茸栽培用子実体生育ガイド体１０と同じ構成については同じ番号を付すことにより詳細な説明を省略し、本実施形態における特徴的な部分についてのみ説明を行うことにする。
【００２７】
第１実施形態においては、茸栽培用子実体生育ガイド体１０を図４に示すようにして積み重ねて集合体１１とした際に、集合体１１の上下に隣接した茸栽培用子実体生育ガイド体１０において、上方の茸栽培用子実体生育ガイド体１０の上部側に配設された舌片２０が下方の茸栽培用子実体生育ガイド体１０の筒口上縁１０Ａに係止されてぶら下がった状態になっている。この状態においては、集合体１１の上下に隣接する茸栽培用子実体生育ガイド体１０間に形成された隙間３０により、ほとんどの部分が互いに離反した状態になっているが、上方の茸栽培用子実体生育ガイド体１０の外周面下部が、下方の茸栽培用子実体生育ガイド体１０の内周面に密着してしまう場合がある。これにより、わずかながらも乾燥処理時間が長引いてしまうということや、集合体１１から茸栽培用子実体生育ガイド体１０を個別に分離させる際に、力が必要になるという軽微な不具合が予想される。
【００２８】
上記の軽微な不具合を解決するために、本実施形態においては、シート体１２の側端縁１８Ａの複数個所に舌片２０，２２を配設した茸栽培用子実体生育ガイド体１０の構成を採用している。
図５に示すように、本実施形態にかかる茸栽培用子実体生育ガイド体１０は、シート体１２の側端縁１８Ａにおいて第１の実施形態と同じ位置に配設した舌片２０に加え、側端縁１８Ａの下端部位置（茸栽培用子実体生育ガイド体１０の筒体下部位置となる部位）に第２の舌片２２を配設した点が特徴である。
第２の舌片２２の大きさは特に限定されるものではないが、舌片２０の大きさ以下であることが好ましい。また、第２の舌片２２も茸栽培用子実体生育ガイド体１０の筒体の外周面に沿った状態と筒体の径方向に伸びる状態との間で曲折自在に構成されている。
【００２９】
第２の舌片２２の使用方法は、第１実施形態で説明した舌片２０の使用方法と同様にして行なうことができる。茸栽培用子実体生育ガイド体１０の乾燥処理時に、第２の舌片２２を径外方向に曲折させた状態で茸栽培用子実体生育ガイド体１０を高さ方向に積み重ねて集合体１１を形成すると、上方の茸栽培用子実体生育ガイド体１０の外表面は、舌片２０により下方の茸栽培用子実体生育ガイド体１０の筒口上縁に係止されてぶら下がった状態になると共に、第２の舌片２２が下方の茸栽培用子実体生育ガイド体１０の内周面に対して突っ張った状態になる。これにより、上方の茸栽培用子実体生育ガイド体１０の外周面と下方の茸栽培用子実体生育ガイド体１０の内周面との間には高さ方向に連通する隙間部分が形成され、更に通気が良好になる点において好都合である。
【００３０】
（第３実施形態）
図６は、第３の実施形態における茸栽培用子実体生育ガイド体を示す斜視図である。第３の実施形態は、第１の実施形態の変形例である。ここでも先に説明した実施形態と共通する部分については同じ符号を付している。
図６に示すように、本実施形態における茸栽培用子実体生育ガイド体１０はシート体１２の側端縁１８Ａの一箇所に舌片２０を配設している点においては第１の実施形態と同様であるが、舌片２０の配設位置を、茸栽培用子実体生育ガイド体１０の筒体の高さ方向における中途位置にした点で構成を異にしている。
【００３１】
このように舌片２０を茸栽培用子実体生育ガイド体１０の高さ方向の中途位置に配設することで、茸栽培用子実体生育ガイド体１０を積み重ねる際の上下の茸栽培用子実体生育ガイド体１０どうしの重複量を少なくすることができ、集合体１１において上方の茸栽培用子実体生育ガイド体１０の外周面と下方の茸栽培用子実体生育ガイド体１０の内周面との隙間３０が広がり、乾燥処理に要する時間を短縮させることができる。
この構成では、複数の舌片２０，２２を配設した茸栽培用子実体生育ガイド体１０の使用状況に比較すると、乾燥処理時における茸栽培用子実体生育ガイド体１０の積み重ね高さが高くなるものの、乾燥処理に要する時間については同程度以下にすることができる。
【００３２】
（第４実施形態）
図７は、第４実施形態における茸栽培用子実体生育ガイド体の斜視図である。本実施形態にかかる茸栽培用子実体生育ガイド体１０の舌片２０は、舌片２０の下端縁に係止部としての凹部２０Ａが形成されている点が特徴的である。この凹部２０Ａにより、茸栽培用子実体生育ガイド体１０を積み重ねて集合体１１を形成した際に、集合体１１の上方の茸栽培用子実体生育ガイド体の舌片１０の舌片２０は凹部２０Ａの部分で下方の茸栽培用子実体生育ガイド体１０の筒口上縁１０Ａに最初に係止された状態を維持することができる。このような舌片２０の形態は、茸栽培用子実体生育ガイド体１０の積み重ね数が増えた場合において、集合体１１の下部における上下の茸栽培用子実体生育ガイド体１０間の隙間１０が茸栽培用子実体生育ガイド体１０の自重によりつぶれてしまうことがない点で好都合である。
【００３３】
以上に、複数の実施形態に基づいて本発明にかかる茸栽培用子実体生育ガイド体１０について詳細に説明してきたが、本発明は以上に示した実施形態にのみ限定されるものではないのはもちろんであり、発明の要旨を変更しない範囲において各種改変を施したとしても本発明の技術的範囲に属する。例えば、第２実施形態においては、茸栽培用子実体生育ガイド体１０の高さ方向の上端位置と下端位置に舌片２０，２２を配設した形態について説明しているが、舌片２０，２２の配設位置は、茸栽培用子実体生育ガイド体１０の外周面上において高さ方向のいずれの位置に配設してもよいし、舌片２０，２２の配設個数も２つだけでなく３つ以上配設することもできる。
【００３４】
また、舌片２０，２２は、シート体１２の側端縁１８Ａにシート体１２と一体形成した形態について説明しているが、舌片２０，２２は、シート体１２の側端縁１８Ａ以外の部分に配設してもよい。
また、シート体１２と別体に形成した舌片２０，２２をシート体１２や逆円錐台状の筒体に形成した茸栽培用子実体生育ガイド体１０に後付した形態としても良い。
さらに、舌片２０，２２はシート材と異なる材料により形成されていてもよい。要は、茸栽培用子実体生育ガイド体１０の筒体の外周面に茸栽培用子実体生育ガイド体１０の外周面に沿った方向と径に沿った方向（径外方向）との間で曲折自在な舌片２０が少なくとも一箇所に配設されていれば、本発明にかかる茸栽培用子実体生育ガイド体１０とすることができる。
【００３５】
また、以上の実施形態においては、いずれもシート体１２にシートの厚さ方向に貫通する円形の貫通孔１４を形成した実施形態について説明しているが、貫通孔１４の形状は円形形状に限定されるものではない。子実体の生育工程時において茸栽培用子実体生育ガイド体１０の外部と内部とを連通させることができるような通気孔となる部分が形成されていればいかなる形状のものであっても良いのである。
さらには、シート体１２の材料に通気性や透湿性がある場合には、貫通孔１４の配設を省略することができる。
【００３６】
さらに以上の実施形態においては、茸栽培用子実体生育ガイド体１０は逆円錐台状をなす筒体にあらかじめ形成されている実施形態について説明しているが、これに限定されるものでもない。最初の使用時のみに培地が充てんされた茸栽培用瓶の瓶口肩部に茸栽培の作業者がシート体１２を巻き付けて茸栽培用子実体生育ガイド体１０とし、２回目以降の使用時には逆円錐台状をなす筒体の状態で使用するような形態であっても良い。このような使用形態を実現するためには、以上の実施形態におけるシート体１２の側端縁１８Ａ，１８Ｂに面ファスナー等のワンタッチで係止することができる繰り返し使用が可能な係止手段を配設しておけばよい。
【００３７】
このような係止手段を配設することにより、茸栽培用子実体生育ガイド体１０の工場出荷時や運搬時においてはシート状にすることで容積を大幅に削減することができ、茸栽培用子実体生育ガイド体１０の運搬コストを大幅に低減することができる。
また、これと同時に、茸栽培用子実体生育ガイド体１０を所要回数茸栽培に使用した後には、係止手段の係止状態を解除して茸栽培用子実体生育ガイド体１０を逆円錐台状の筒体からシート体１２にして洗浄処理することで、茸栽培用子実体生育ガイド体に付着した茸の分泌液等を除去することができ、茸栽培用子実体生育ガイド体１０の製品寿命を延ばすことができる点で好都合である。
【００３８】
また、以上に説明した構成を適宜組み合わせた形態についても本願発明の技術的範囲に属することはもちろんである。
【符号の説明】
【００３９】
１０  茸栽培用子実体生育ガイド体
１０Ａ  筒口上縁
１１  集合体
１２  シート体
１４  貫通孔
１８Ａ，１８Ｂ  側端縁
２０，２２  舌片
２０Ａ  凹部
３０  隙間
【図１】
2012110302.tif 000003
【図２】
2012110302.tif 000004
【図３】
2012110302.tif 000005
【図４】
2012110302.tif 000006
【図５】
2012110302.tif 000007
【図６】
2012110302.tif 000008
【図７】
2012110302.tif 000009